(57)【要約】【課題】  異なるネットワークの時刻情報を参照していた場合でも、正確な予約開始、および、終了動作を行うことが可能な予約機能付き機器及び時刻修正方法を提供する。【解決手段】  予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、ネットワークからの情報を取得し予約を実行する予約機能付き機器１１において、予約実行待機時に、次に行う予約事項の予約ネットワーク情報が示すネットワークの時刻情報を取得し、かつ、取得した時刻情報をもとに機器の時刻を修正する時刻修正手段を備え、正確な時刻に予約開始処理及び予約終了処理を行う。【選択図】        図１
2005195456.tif 000002
【特許請求の範囲】
【請求項１】
予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、ネットワークからの情報を取得し予約を実行する予約機能付き機器において、
予約実行待機時に、次に行う予約事項の予約ネットワーク情報が示すネットワークの時刻情報を取得し、かつ、取得した時刻情報をもとに機器の時刻を修正する時刻修正手段を備え、正確な時刻に予約開始処理及び予約終了処理を行うことを特徴とする予約機能付き機器。
【請求項２】
予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、複数のネットワークからの情報を取得し予約を実行する予約機能付き機器において、
予約実行待機時に、次に行う予約事項と他の予約事項とで予約時間帯が重なるかを判断する時間帯重複判断手段と、該時間帯重複判断手段により重なると判断した時に、両者の予約事項の予約ネットワーク情報が示すネットワークの時刻情報をそれぞれ取得するとともに、両者のうち予約開始時刻が始めである方の予約事項の予約ネットワーク情報が示すネットワークの時刻情報をもとに機器の時刻を修正する先時刻修正手段と、予約開始時刻が後である方の予約事項の予約時間帯から重なった時間帯部分を除く差分をとり、該差分に基づき残りの予約実行内容を実現する予約重複時実行手段とを備え、正確な時刻に予約開始処理及び重複時処理を行うことを特徴とする予約機能付き機器。
【請求項３】
請求項２記載の時間帯重複判断手段、先時刻修正手段及び予約重複時処理手段を備えた請求項１記載の予約機能付き機器。
【請求項４】
予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、複数のネットワークからの情報を取得し予約を実行する予約機能付き機器において、
予約実行待機時に、予約登録削除により次に行う予約事項が変更になると、新たに次に行うとなった予約事項の予約ネットワーク情報が示すネットワークの時刻情報を取得し、取得した時刻情報をもとに機器の時刻を修正する変更時刻修正手段を備え、正確な時刻に予約開始処理及び予約終了処理を行うことを特徴とする予約機能付き機器。
【請求項５】
請求項４記載の変更時刻修正手段を備えた請求項１記載の予約機能付き機器。
【請求項６】
請求項４記載の変更時刻修正手段を備えた請求項３記載の予約機能付き機器。
【請求項７】
予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、ネットワークからの情報を取得し予約を実行する予約機能付き機器の時刻修正方法において、
予約実行待機時に、次に行う予約事項の予約ネットワーク情報が示すネットワークの時刻情報を取得し、かつ、取得した時刻情報をもとに機器の時刻を修正して、正確な時刻に予約開始処理及び予約終了処理を行うことを特徴とする時刻修正方法。
【請求項８】
予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、複数のネットワークからの情報を取得し予約を実行する予約機能付き機器の時刻修正方法において、
予約実行待機時に、次に行う予約事項と他の予約事項とで予約時間帯が重なるかを判断し、該時間帯重複判断により重なると判断した時に、両者の予約事項の予約ネットワーク情報が示すネットワークの時刻情報をそれぞれ取得するとともに、両者のうち予約開始時刻が始めである方の予約事項の予約ネットワーク情報が示すネットワークの時刻情報をもとに機器の時刻を修正し、予約開始時刻が後である方の予約事項の予約時間帯から重なった時間帯部分を除く差分をとり、該差分に基づき残りの予約実行内容を実現して、正確な時刻に予約開始処理及び重複時処理を行うことを特徴とする時刻修正方法。
【請求項９】
予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、複数のネットワークからの情報を取得し予約を実行する予約機能付き機器の時刻修正方法において、
予約実行待機時に、予約登録削除により次に行う予約事項が変更になると、新たに次に行うとなった予約事項の予約ネットワーク情報が示すネットワークの時刻情報を取得し、取得した時刻情報をもとに機器の時刻を修正して、正確な時刻に予約開始処理及び予約終了処理を行うことを特徴とする時刻修正方法。
【発明の詳細な説明】
【技術分野】
【０００１】
本発明は、予約機能付き機器及び時刻修正方法であり、予約機能を持った機器の予約実行方法及び機器に関する。
【背景技術】
【０００２】
予約機能を有する機器において、時刻指定による正確な予約開始動作、および、終了動作を行うことは必要不可欠のことである。
【０００３】
単一のネットワーク下におかれた予約動作に関していえば、そのネットワークの保有する時刻情報を、機器の時刻とすることによって、正確な予約開始、終了動作を行うことが可能である。ここでいうネットワークの保有する時刻情報とは、日本標準時で示される時刻や、デジタル放送において送出される各チャンネルの時刻情報や、ＧＰＳなどの時刻情報、インターネット上におけるサーバーの保持する時刻情報などのことを指す。たとえば、デジタル放送番組を記録する機器にて予約動作を行う場合、衛星波、もしくは地上波等で受取る電波の中に時刻情報が入っており、現在時刻がわかる仕組みになっている。よって、この時刻情報にあわせて機器の時刻とすることで、正確な予約動作を行うことができる。時刻を修正する提案として、特許文献１が知られている。
【特許文献１】特開２００２−２３６１８７号公報
【発明の開示】
【発明が解決しようとする課題】
【０００４】
各ネットワーク間の時刻に関しては、それぞれ誤差が生じる。たとえば、テレビ放送においては、機器が時刻情報を認識するまでの放送局からの伝達媒体、または、視聴機器性能によって、日本標準時より遅れ、また、ネットワーク間で誤差がでることが知られている。また、インターネット上のサーバーにおいても、正確に日本標準時に合わせている保障はないので、日本標準時から誤差が出てくる。よって、機器が異なるネットワークの時刻情報を参照していた場合、正確な予約開始、および、終了動作を行うことができない。
【課題を解決するための手段】
【０００５】
項１及び項７の発明は、上記課題を解決するために、機器が予約実行待機状態になったときに、次に行う予約事項のネットワークの時刻情報を取得し、その情報をもとに機器の時刻を修正することを特徴とする。これにより、正確な予約開始処理、および、終了処理を行うことができる。また、この機能を備えることを特徴とする機器である。本発明では、機器とは、ビデオ、ハードディスクレコーダー、パソコン等、ネットワークに接続し、予約動作を行う機器全般を指す。
【０００６】
また、項２及び項８の発明は、上記課題を解決するために、機器が予約実行待機状態になったときに、次に行う予約する事項が他の予約事項と時間帯が重なっていた場合、該当予約事項のネットワークの時刻情報を取得し、はじめに行う予約事項のネットワークの時刻を機器の時刻とし、重複する予約事項の時刻は差分をとっておき、時差に基づいた処理を行うことにより、正確な予約開始処理、および、終了処理を行うことができる。また、この機能を備えることを特徴とする機器である。
【０００７】
そして、項３の発明は、項１と項２の特徴により、予約する事項が時間的に重複する場合と重複しない場合、両方ともに正確な予約開始処理、および終了処理を行うことができることを特徴とする。また、この機能を備えることを特徴とする機器である。
【０００８】
更に、項４及び項９の発明は、機器の時刻修正を完了しているとき、予約登録削除にて次に行う予約事項が変更になった場合に、ネットワークの時刻情報を取得し、機器の時刻を修正し、正確な予約開始処理、および、終了処理を行うことができることを特徴とする。これにより、正確な予約開始処理、および、終了処理を行うことができる。また、この機能を備えることを特徴とする機器である。
【０００９】
また、項５の発明は、項１と項４の特徴により、予約事項の挿入、削除に両方ともに正確な予約開始処理、および終了処理を行うことができることを特徴とする。また、この機能を備えることを特徴とする機器である。
【００１０】
そして、項６の発明は、項１と項２と項４の特徴により、予約事項の挿入、削除に両方ともに正確な予約開始処理、および終了処理を行うことができ、予約する事項が時間的に重複する場合と重複しない場合にも、正確な予約開始処理、および終了処理ができることを特徴とする。また、この機能を備えることを特徴とする機器である。
【００１１】
すなわち、本発明１は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、ネットワークからの情報を取得し予約を実行する予約機能付き機器において、予約実行待機時に、次に行う予約事項の予約ネットワーク情報が示すネットワークの時刻情報を取得し、かつ、取得した時刻情報をもとに機器の時刻を修正する時刻修正手段を備え、正確な時刻に予約開始処理及び予約終了処理を行う予約機能付き機器である。
【００１２】
また、本発明２は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、複数のネットワークからの情報を取得し予約を実行する予約機能付き機器において、予約実行待機時に、次に行う予約事項と他の予約事項とで予約時間帯が重なるかを判断する時間帯重複判断手段と、該時間帯重複判断手段により重なると判断した時に、両者の予約事項の予約ネットワーク情報が示すネットワークの時刻情報をそれぞれ取得するとともに、両者のうち予約開始時刻が始めである方の予約事項の予約ネットワーク情報が示すネットワークの時刻情報をもとに機器の時刻を修正する先時刻修正手段と、予約開始時刻が後である方の予約事項の予約時間帯から重なった時間帯部分を除く差分をとり、該差分に基づき残りの予約実行内容を実現する予約重複時実行手段とを備え、正確な時刻に予約開始処理及び重複時処理を行う予約機能付き機器である。
【００１３】
そして、本発明３は、本発明２記載の時間帯重複判断手段、先時刻修正手段及び予約重複時処理手段を備えた本発明１の予約機能付き機器である。
【００１４】
更に、本発明４は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、複数のネットワークからの情報を取得し予約を実行する予約機能付き機器において、予約実行待機時に、予約登録削除により次に行う予約事項が変更になると、新たに次に行うとなった予約事項の予約ネットワーク情報が示すネットワークの時刻情報を取得し、取得した時刻情報をもとに機器の時刻を修正する変更時刻修正手段を備え、正確な時刻に予約開始処理及び予約終了処理を行う予約機能付き機器である。
【００１５】
また、本発明５は、本発明４記載の変更時刻修正手段を備えた本発明１の予約機能付き機器である。
【００１６】
そして、本発明６は、本発明４記載の変更時刻修正手段を備えた本発明３の予約機能付き機器である。
【００１７】
更に、本発明７は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、複数のネットワークからの情報を取得し予約を実行する予約機能付き機器の時刻修正方法において、予約実行待機時に、次に行う予約事項の予約ネットワーク情報が示すネットワークの時刻情報を取得し、かつ、取得した時刻情報をもとに機器の時刻を修正して、正確な時刻に予約開始処理及び予約終了処理を行う時刻修正方法である。
【００１８】
また、本発明８は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、複数のネットワークからの情報を取得し予約を実行する予約機能付き機器の時刻修正方法において、予約実行待機時に、次に行う予約事項と他の予約事項とで予約時間帯が重なるかを判断し、該時間帯重複判断により重なると判断した時に、両者の予約事項の予約ネットワーク情報が示すネットワークの時刻情報をそれぞれ取得するとともに、両者のうち予約開始時刻が始めである方の予約事項の予約ネットワーク情報が示すネットワークの時刻情報をもとに機器の時刻を修正し、予約開始時刻が後である方の予約事項の予約時間帯から重なった時間帯部分を除く差分をとり、該差分に基づき残りの予約実行内容を実現して、正確な時刻に予約開始処理及び重複時処理を行う時刻修正方法である。
【００１９】
そして、本発明９は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、複数のネットワークからの情報を取得し予約を実行する予約機能付き機器の時刻修正方法において、予約実行待機時に、予約登録削除により次に行う予約事項が変更になると、新たに次に行うとなった予約事項の予約ネットワーク情報が示すネットワークの時刻情報を取得し、取得した時刻情報をもとに機器の時刻を修正して、正確な時刻に予約開始処理及び予約終了処理を行う時刻修正方法である。
【発明の効果】
【００２０】
本発明によれば、ネットワークの異なる予約事項があっても、ネットワーク毎の時刻情報を取得し、機器の時刻を修正し、正確な予約開始処理、および、終了処理を行うことができる。また、予約変更、予約の重なり等あったとしても、機器の時刻を修正し、正確な予約開始処理、および、終了処理を行うことができる。
【発明を実施するための最良の形態】
【００２１】
以下、本発明を実施するための最良の形態について説明する。
本発明の予約機能付き機器及び時刻修正方法の実施例について、図面を用いて説明する。本発明は、ビデオ、ハードディスクレコーダー、パソコン等、ネットワークに接続し、予約動作機能を持った機器を対象とする。また、本発明では、ネットワークとは、インターネットやテレビ放送における地上／ＢＳ／ＣＳ放送などコンテンツの伝送媒体のことを指す。よって、ネットワークの時刻情報とは、日本標準時で示される時刻や、デジタルテレビ放送において送出される各チャンネルの時刻情報や、インターネット上におけるサーバーの保持する時刻情報のことを指す。
【００２２】
図１は、さまざまなネットワークからの信号を予約機能付き機器１１が受けることを示したものである。ＢＳ／ＣＳデジタル放送による衛星経由の放送、地上デジタル放送による地上経由の放送、ストリーミングなどインターネット経由の番組配信などさまざまなネットワークから、予約機能付き機器１１は情報を受取る。
【００２３】
実施例１を説明する。本実施例の予約機能付き機器１１は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、ネットワークからの情報を取得し予約を実行し、そして、予約実行待機時に、次に行う予約事項の予約ネットワーク情報が示すネットワークの時刻情報を取得し、かつ、取得した時刻情報をもとに機器の時刻を修正する時刻修正手段を備え、正確な時刻に予約開始処理及び予約終了処理を行う。
【００２４】
図２は、実施例１の予約機能付き機器１１が予約実行待機時における機器の時刻修正の手順の一例を示したものである。予約実行待機状態２１にて、次に行う予約事項の有無確認２２を行う。予約実行待機状態２１とは、機器１１が予約を実行できる状態であることをいう。大抵の機器は、機器の主電源が入った待機状態がこの状態であるが、本発明では限定しない。また、この処理を行うタイミングも限定しない。
【００２５】
次に行う予約事項の有無確認２２にて、次に行う予約事項が登録されているならば、予約事項のネットワーク確認２３を行う。ここでは、登録内容を判断し、予約事項がどのネットワークで行われるかを確認するところである。ネットワークへのチューニングを、現時点でのネットワークと違うのならば、ネットワークチューニング２４で行い、そのネットワークでの時刻情報をとることができる状態となる。そして、その時刻情報をもとに、機器の時刻修正２５にて、機器の時刻修正を行う。このことにより、予約事項に対して、正確な予約開始処理、および、終了処理を行うことができる。
【００２６】
実施例２を説明する。本実施例の予約機能付き機器１１は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、複数のネットワークからの情報を取得し予約を実行し、そして、予約実行待機時に、次に行う予約事項と他の予約事項とで予約時間帯が重なるかを判断する時間帯重複判断手段と、該時間帯重複判断手段により重なると判断した時に、両者の予約事項の予約ネットワーク情報が示すネットワークの時刻情報をそれぞれ取得するとともに、両者のうち予約開始時刻が始めである方の予約事項の予約ネットワーク情報が示すネットワークの時刻情報をもとに機器の時刻を修正する先時刻修正手段と、予約開始時刻が後である方の予約事項の予約時間帯から重なった時間帯部分を除く差分をとり、該差分に基づき残りの予約実行内容を実現する予約重複時実行手段とを備え、正確な時刻に予約開始処理及び重複時処理を行う。
【００２７】
図３は、実施例２の予約機能付き機器１１が予約実行待機状態になったとき（予約実行待機時）に、重複する予約事項があった場合の機器の時刻修正の手順の一例を示したものである。予約実行待機状態３１にて、次に行う予約事項の重複確認３２を行う。もし、予約事項の重複確認３２にて、重複する予約事項が登録されているならば、各予約事項に対してネットワーク確認３３を行う。ここでは、登録内容を判断し、予約事項のネットワークを確認する。もし、重複する予約事項が異なるネットワークでの予約事項であり、現時点でのネットワークと違うのならば、そのネットワークへのチューニングを、ネットワークチューニング３４でそれぞれ行い、そのネットワークでの時刻情報をとることができる状態となる。この際に、重複予約事項のうち一番開始時間の早いものについて、最後にチューニング作業が行われることが望ましい。
【００２８】
取得した時刻情報をもとに、ネットワーク時差情報登録３５にて、予約事項の時差を登録する。ここで、現時点のチューニングしているネットワークと次に行う予約事項のネットワークが異なるならば、そのネットワークにチューニングを行う。次に行う予約事項のネットワークの時刻情報を用いて機器の時刻修正３６を行う。これによって、重複予約事項のうち最初の予約事項に対して、正確な予約開始処理、および、終了処理を行うことができる。
【００２９】
ここで、今後行われる重複する予約事項の開始時間とネットワーク時差情報登録３５にて登録した内容を用いて、現在機器が保有している時間に対して、当該ネットワークにチューニングするタイミングを計算し、その時刻になったらそのチューニングを行う。それは、重複予約事項時刻管理３７で行う。このことにより、重複した予約事項に対しても、正確な予約開始処理、および、終了処理を行うことができる。なお、重複している予約事項が１つとは限らず、さらに増えてもその分のネットワーク時差情報登録３５にてその分のネットワーク時刻情報を登録すればよい。
【００３０】
実施例３を説明する。本実施例の予約機能付き機器１１は、実施例２と同様である。図４は、実施例３の予約機能付き機器１１が予約実行待機状態になり、重複する予約事項があった場合となかった場合の判断手法をもった機器の時刻修正の手順の一例を示したものである。予約実行待機状態４１にて、次に行う予約事項の有無確認４２を行う。予約事項の有無確認４２にて、次に行う予約事項が登録されているならば、次に行う予約事項の重複確認４３を行う。ここで、予約事項の重複確認をして「重複なし」と判断されれば、ネットワーク確認４４ａに遷移する。「予約事項の重複あり」と判断されれば、各ネットワーク確認４４ｂに遷移する。
【００３１】
ネットワーク確認４４ａ、各ネットワーク確認４４ｂにおいて予約事項の確認を行う。各ネットワーク確認４４ｂにおいて、重複する予約事項のネットワークが同一ネットワークであると判断された場合には、ネットワークチューニング４５ａに遷移する。異なるネットワークであると判断された場合には、各ネットワークチューニング４５ｂに遷移する。
【００３２】
ネットワークチューニング４５ａ、各ネットワークチューニング４５ｂでは、予約事項のネットワークへのチューニングを行い、現在時刻情報を取得する。各ネットワークチューニング４５ｂでは、異なるネットワークの予約事項のためのチューニングを行う。この際に、重複予約事項のうち一番開始時間の早いものについて、最後にチューニング作業が行われることが望ましい。そして取得した時刻情報をもとに、ネットワーク時差情報登録４６にて、予約事項の時差を登録する。そして、現時点のチューニングしているネットワークと次に行う予約事項のネットワークが異なるならば、そのネットワークにチューニングを行う。
【００３３】
次に機器の時刻修正４７を行う。これによって、最初の予約事項に対して、正確な予約開始処理、および、終了処理を行うことができる。ここで、もし予約事項の重複があり、異なるネットワークでの予約事項であれば、今後行われる重複する予約事項の開始時間とネットワーク時差情報登録４６にて登録した内容を用いて、現在機器が保有している時間に対して、当該ネットワークにチューニングするタイミングを計算し、その時刻になったらそのチューニングを行う。それは、重複予約事項時刻管理４８で行う。このことにより、重複した予約事項に対しても、正確な予約開始処理、および、終了処理を行うことができる。なお、重複している予約事項が２つとは限らず、さらに増えても、その分のネットワーク時差情報登録４６にてその分のネットワーク情報を登録すればよい。
【００３４】
実施例４を説明する。本実施例の予約機能付き機器１１は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、複数のネットワークからの情報を取得し予約を実行し、そして、予約実行待機時に、予約登録削除により次に行う予約事項が変更になると、新たに次に行うとなった予約事項の予約ネットワーク情報が示すネットワークの時刻情報を取得し、取得した時刻情報をもとに機器の時刻を修正する変更時刻修正手段を備え、正確な時刻に予約開始処理及び予約終了処理を行う。
【００３５】
図５は、実施例４の予約機能付き機器１１において、次に行う予約登録が削除されるときの機器の時刻修正の手順の一例を示したものである。次に行う予約事項の削除され、予約実行待機状態５１になったとき、次に行う予約事項の有無確認５２を行う。もし、次に行う予約事項の有無確認５２にて、次に行う予約事項が登録されているならば、予約事項のネットワーク確認５３を行う。そのネットワークへのチューニングを、現時点でのネットワークと違うのならば、ネットワークチューニング５４で行い、そのネットワークでの時刻情報をとることができる状態となる。そして、その時刻情報をもとに、機器の時刻修正５５にて、機器の時刻修正を行う。このことにより、予約事項に対して、正確な予約開始処理、および、終了処理を行うことができる。
【００３６】
実施例５を説明する。本実施例の予約機能付き機器１１は、実施例４と同様である。図６は、実施例５の予約機能付き機器１１において、次に行う予約を登録処理または削除処理されたときの機器の時刻修正の手順の一例を示したものである。次に行う予約事項が登録、または、削除され、予約実行待機状態６１になったとき、次に行う予約事項の有無確認６２を行う。もし、次に行う予約事項の有無確認６２にて、次に行う予約事項が登録されているならば、予約事項のネットワーク確認６３を行う。そのネットワークへのチューニングを、現時点でのネットワークと違うのならば、ネットワークチューニング６４で行い、そのネットワークでの時刻情報をとることができる状態となる。そして、その時刻情報をもとに、機器の時刻修正６５にて、機器の時刻修正を行う。このことにより、予約事項に対して、正確な予約開始処理、および、終了処理を行うことができる。
【００３７】
実施例６を説明する。実施例６の予約機能付き機器１１は、実施例４、５と同様である。図７は、予約機能付き機器１１において、次に行う予約を登録処理または削除処理されたときに、予約する事項が時間的に重なっている場合と重なっていない場合の判断手法をもった機器の時刻修正の手順の一例を示したものである。次に行う予約事項が登録、または、削除され、予約実行待機状態７１になったとき、次に行う予約事項の有無確認７２を行う。予約事項の有無確認７２にて、次に行う予約事項が登録されているならば、次に行う予約事項の重複確認７３を行う。ここで、予約事項の重複確認をして「重複なし」と判断されれば、ネットワーク確認７４ａに遷移する。「予約事項の重複あり」と判断されれば、各ネットワーク確認７４ｂに遷移する。
【００３８】
ネットワーク確認７４ａ、各ネットワーク確認７４ｂにおいて予約事項の確認を行う。各ネットワーク確認７４ｂにおいて、重複する予約事項のネットワークが同一ネットワークであると判断された場合には、ネットワークチューニング７５ａに遷移する。異なるネットワークであると判断された場合には、各ネットワークチューニング７５ｂに遷移する。
【００３９】
ネットワークチューニング７５ａ、各ネットワークチューニング７５ｂでは、予約事項のネットワークへのチューニングを行い、現在時刻情報を取得する。各ネットワークチューニング７５ｂでは、異なるネットワークの予約事項のためのチューニングを行う。この際に、重複予約事項のうち一番開始時間の早いものについて、最後にチューニング作業が行われることが望ましい。そして取得した時刻情報をもとに、ネットワーク時差情報登録７６にて、予約事項の時差を登録する。そして、現時点のチューニングしているネットワークと次に行う予約事項のネットワークが異なるならば、そのネットワークにチューニングを行う。
【００４０】
次に機器の時刻修正７７を行う。これによって、最初の予約事項に対して、正確な予約開始処理、および、終了処理を行うことができる。ここで、もし予約事項の重複があり、異なるネットワークでの予約事項であれば、今後行われる重複する予約事項の開始時間とネットワーク時差情報登録７６にて登録した内容を用いて、現在機器が保有している時間に対して、当該ネットワークにチューニングするタイミングを計算し、その時刻になったらそのチューニングを行う。それは、重複予約事項時刻管理７８で行う。このことにより、重複した予約事項に対しても、正確な予約開始処理、および、終了処理を行うことができる。なお、重複している予約事項が２つとは限らず、さらに増えてもその分のネットワーク時差情報登録７６にてその分のネットワーク情報を登録すればよい。
【図面の簡単な説明】
【００４１】
【図１】実施例の予約機能付き機器が複数ネットワークに接続している様子を示す図。
【図２】実施例１の予約機能付き機器が予約実行待機状態になったときの機器の時刻修正の手順の一例を示す図。
【図３】実施例２の予約機能付き機器が予約実行待機状態になったとき、重複する予約時間帯があった場合の機器の時刻修正の手順の一例を示す図。
【図４】実施例３の予約機能付き機器が予約実行待機状態になり、予約時間帯が時間的に重なっている場合と重なっていない場合の判断手法をもった機器の時刻修正の手順の一例を示す図。
【図５】実施例４の予約機能付き機器における次に行う予約登録が削除されたときに、機器の時刻修正の手順の一例を示す図。
【図６】実施例５の予約機能付き機器における次に行う予約を登録処理または、削除処理されたときに、機器の時刻修正の手順の一例を示す図。
【図７】実施例６の予約機能付き機器における次に行う予約を登録処理または、削除処理されたときに、予約時間帯が時間的に重なっている場合と重なっていない場合の判断手法をもった機器の時刻修正の手順の一例を示す図。
【符号の説明】
【００４２】
１１  予約機能付き機器。
【図１】
2005195456.tif 000003
【図２】
2005195456.tif 000004
【図３】
2005195456.tif 000005
【図４】
2005195456.tif 000006
【図５】
2005195456.tif 000007
【図６】
2005195456.tif 000008
【図７】
2005195456.tif 000009